(57)【特許請求の範囲】
【請求項１】
地理的に分散配置され、時間要素を有する計測データを計測する複数の計測装置と、該複数の計測装置の地理的位置情報及びネットワークアドレスを蓄積するデータセンタと、前記計測データを利用する端末とがネットワークを介して接続された計測システムであって、
前記計測装置は、前記データセンタから、当該計測装置の地理的近傍に配置された複数の他の計測装置の前記地理的位置情報及び前記ネットワークアドレスを取得し及び保持する手段と、他の計測装置から計測データの要求を受信すると同時に計測し、その計測データを該他の計測装置へ送信する手段と、他の計測装置へ計測データの要求を送信し且つ該計測データを受信し及び蓄積する手段と、当該計測装置の計測データ及び地理的位置情報と前記他の計測装置の計測データ及び地理的位置情報とから空間微分演算を行う手段と、その演算結果を蓄積する手段と、該演算結果を前記端末へ送信する手段とを有し、
前記端末は、前記データセンタから、前記計測装置の前記地理的位置情報及び前記ネットワークアドレスを取得し及び保持する手段と、前記計測装置へ前記演算結果の要求を送信し、該計測装置から前記演算結果を受信する手段とを有する
ことを特徴とする計測システム。
【請求項２】
前記計測データは、環境計測データ、交通トラヒックデータ又はネットワークトラヒックデータであることを特徴とする請求項１に記載の計測システム。
【発明の詳細な説明】
【０００１】
【発明の属する技術分野】
本発明は、地理的に分散配置され、時間要素を有する計測データを取得する複数の計測装置と、該計測装置を管理するデータセンタと、計測データを利用する端末とがネットワークを介して接続された計測システムに関する。例えば、多地点の環境計測データを、効率良く取得し、演算し且つ配信する環境計測システムに用途がある。
【０００２】
【従来の技術】
従来の計測システムは、地理的に分散配置され複数の計測装置で計測された計測データを、一ヶ所のデータセンタで収集・蓄積するものである。従って、端末は、必ずデータセンタへアクセスする必要があった。特に、データセンタは、各計測装置の計測データを端末へ送信するだけでなく、端末からの要求に従ってある地域における１つ以上の計測装置の地点間の演算（空間微分演算）を行い、その演算結果を提供する機能も有していた。
【０００３】
【発明が解決しようとする課題】
しかし、端末は、常に全地域の計測データ又は空間微分演算結果を必要としないにも関わらず、一部地域の情報を取得するためにも、必ずデータセンタへアクセスしなければならない。従って、データセンタにおいて、処理負荷が増大し、ネットワーク負荷がデータセンタに集中するという課題があった。また、空間微分演算には同一時刻の計測データを必要とするが、データセンタによって全ての計測装置の時刻を一致させることは、データセンタの処理負荷を増大させる要因でもあった。更に、災害等でデータセンタとの回線が寸断されると、演算処理が不能になっていた。
【０００４】
そこで、本発明は、地理的に分散配置された複数の計測装置によって計測された計測装置を管理するデータセンタにおいて、処理負荷及びネットワーク負荷が集中しない計測システムを提供することを目的とする。また、計測データの一局集中を避けることにより、災害に強い計測システムを提供することを目的とする。
【０００５】
【課題を解決するための手段】
本発明によれば、地理的に分散配置され、時間要素を有する計測データを計測する複数の計測装置と、該複数の計測装置の地理的位置情報及びネットワークアドレスを蓄積するデータセンタと、計測データを利用する端末とがネットワークを介して接続された計測システムであって、
計測装置は、データセンタから、当該計測装置の地理的近傍に配置された複数の他の計測装置の地理的位置情報及びネットワークアドレスを取得し及び保持する手段と、他の計測装置から計測データの要求を受信すると同時に計測し、その計測データを該他の計測装置へ送信する手段と、他の計測装置へ計測データの要求を送信し且つ該計測データを受信し及び蓄積する手段と、当該計測装置の計測データ及び地理的位置情報と他の計測装置の計測データ及び地理的位置情報とから空間微分演算を行う手段と、その演算結果を蓄積する手段と、該演算結果を端末へ送信する手段とを有し、
端末は、データセンタから、計測装置の地理的位置情報及びネットワークアドレスを取得し及び保持する手段と、計測装置へ演算結果の要求を送信し、該計測装置から演算結果を受信する手段とを有することを特徴とする。
計測装置は、当該装置の近傍に位置する計測装置の計測データを取得し、演算処理することができ、端末は、直接的に計測装置にアクセスすることができるので、データセンタに処理負荷及びネットワーク負荷が集中することがなくなる。また、近傍の計測装置へのアクセスは、ネットワーク経路が短いために、災害に強い計測システムを提供することができる。
更に、他の計測装置から計測データの要求を受信すると同時に計測し、その計測データを該他の計測装置へ送信するために、時間の要素を必要とする計測データに基づいて空間微分演算を行う場合であっても、データセンタを介することなく、複数の計測装置間で相互に演算を行うことができる。即ち、計測時刻の一致は、近傍の計測装置との間だけで実現される。本発明によれば、計測装置毎に空間微分演算を行うので、データセンタによって全ての計測装置の時刻を一致させる必要がない。これにより、データセンタが全ての計測装置を対象として行う微分演算と比較して、少数の近傍の計測装置との間だけで計測時刻が一致した計測データを取得することが可能となる。
【０００９】
本発明の他の実施形態によれば、計測データは、環境計測データ、交通トラヒックデータ又はネットワークトラヒックデータであってもよい。また、これらに限られず、時間の要素を必要とする計測データであればよい。
【００１０】
【発明の実施の形態】
以下では、図面を用いて、本発明の実施形態を詳細に説明する。
【００１１】
図１は、本発明による計測システムの構成図である。以下では、環境計測データを計測するシステムとして説明する。
【００１２】
図１によれば、システムは、地理的に分散配置され、時間要素を有する計測データを取得する複数の環境計測装置１と、計測装置を管理するデータセンタ２と、計測データを利用する端末３とを有する。端末３は、データセンタ２へアクセスすることができるが、該データセンタ２から環境計測装置１のネットワークアドレスを取得することで、直接的に環境計測装置１へアクセスすることができる。また、環境計測装置１は、当該装置１の地理的近傍に配置された複数の他の計測装置の計測データを取得することができる。
【００１３】
図１によれば、環境計測装置１は、環境計測センサ１１と、情報処理部１０とを有する。環境計測センサ１１は、例えば、風向計、風速計、雨量計、温度・湿度計、光センサ、音センサ、ガスセンサ等である。また、情報処理部１０は、計測データ収集部１０１と、空間微分演算部１０２と、演算結果蓄積部１０３と、データ送受信部１０４と、近傍装置アドレス蓄積部１０５と、時刻調整部１０６とを有する。
【００１４】
図１における環境計測装置１の情報処理部１０について説明する。計測データ収集部１０１は、環境計測センサ１１によって計測された計測データを蓄積する。該計測データ収集部１０１に蓄積された計測データは、他の環境計測装置からのアクセス又は端末３からのアクセスによって、データ送受信部１０４を介して送信される。また、環境計測装置１は、当該装置１の近傍に位置する他の環境計測装置で収集された計測データを受信し、計測データ収集部１０１に蓄積することもできる。
【００１５】
当該環境計測装置１の近傍に位置する他の環境計測装置の地理的位置情報及びネットワークアドレスの情報は、近傍装置アドレス蓄積部１０５に蓄積されている。これら情報は、データセンタ３から受信することができる。
【００１６】
端末３が、当該環境計測装置１に、当該装置１を含むある地域における空間微分演算結果を要求した場合を説明する。当該環境計測装置１は、当該装置１で計測を行うと同時に、当該装置１の近傍に位置する他の計測装置に対して、計測データの要求を行う。当該計測装置１は、要求の結果として得た、当該計測装置１の近傍に位置する計測装置の計測データを用いて空間微分演算部１０２により演算を行い、その結果を演算結果蓄積部１０３に蓄積する。そして、環境計測装置１は、その演算結果を、要求した端末３へ送信する。
【００１７】
また、環境計測装置１は、地理的近傍に配置された複数の他の計測装置との間で、時刻を一致させる時刻調整部１０６を有する。他の計測装置から計測データの要求が通知された際に、速やかに計測データ収集部１０１に計測指示を行うように制御されている。空間微分演算を行うために設けられたものである。
【００１８】
空間微分演算部１０２は、端末３から要求が通知された際に、自装置の計測データ収集部１０１に計測指示を通知すると同時に、近傍装置アドレス蓄積部１０５の情報に基づいて、近傍に位置する計測装置に計測データの要求を通知し、該計測データを取得して演算を行う。
【００１９】
計測データ収集部１０１は、近傍装置アドレス蓄積部１０５に記憶された近傍の環境計測装置から、一定期間毎に自動的に計測データを収集するものであってもよい。端末３から要求された際に計測データを収集するよりも、より高速に応答することもできる。更に、他の計測装置から計測データの要求が通知された際に、速やかに計測データを計測することが好ましい。また、空間微分演算部１０２も、一定期間毎に自動的に演算することも好ましい。
【００２０】
図２は、端末３に表示される環境計測データの一例であり、データの取得先を端末が選択することの説明図である。端末３が、広い地域範囲の環境計測データを取得したい場合は、白地図サーバから地図情報を取得し、その地図情報にデータセンタ２から取得した計測データ又は空間微分演算結果を合成することができる。一方、端末３が、狭い地域範囲の環境計測データを取得したい場合は、直接的にその地域に位置する環境計測装置１から取得した計測データ又は空間微分演算結果を合成することができる。
【００２１】
データセンタ３は、ネットワークアドレス情報の配信に加えて、全ての環境計測装置に対して、端末３に代わって計測データ又は空間微分演算結果を要求し、取得できる。取得したこれら情報を集計及び蓄積し、端末３に配信することもできる。
【００２２】
前述した本発明の計測システムの種々の実施形態について、本発明の技術思想及び見地の範囲の種々の変更、修正及び省略が、当業者によれば容易に行うことができる。例えば、計測データは、交通トラヒックデータ又はネットワークトラヒックデータであってもよい。前述の説明はあくまで例であって、何ら制約しようとするものではない。本発明は、特許請求の範囲及びその均等物として限定するものにのみ制約される。
【００２３】
【発明の効果】
以上、詳細に説明したように、本発明によれば、計測装置は、近傍の計測装置によって計測された計測データを取得し、演算処理することができ、端末は、直接的に計測装置にアクセスすることができるので、データセンタに処理負荷及びネットワーク負荷が集中することがなくなる。また、データセンタにアクセスすることにより、計測装置の地理的位置情報及びネットワークアドレスを特定することができる。更に、近傍の計測装置へのアクセスは、ネットワーク経路が短いために、災害に強い計測システムを提供することができる。
【図面の簡単な説明】
【図１】本発明による計測システムの構成図である。
【図２】端末３に表示される環境計測データの一例であり、データの取得先を端末が選択することの説明図である。
【符号の説明】
１  環境計測装置
１０  計測データ収集部
１１  空間微分演算部
１２  演算結果蓄積部
１３  データ送信部
１４  近傍装置アドレス蓄積部
１５  時刻調整部
２  データセンタ
３  端末
【図１】
0003654171.tif 000002
【図２】
0003654171.tif 000003